【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
プロセスプラントを動作させるためのシステムであって、
共通の形式を用いて、構成データ、計測データ、バッチデータ、連続データ、及びイベントデータから選択される複数のタイプのプロセスデータを含む、前記プロセスプラントに対応するプロセスデータを格納するように構成された、１つ以上のデータストレージデバイスを含むユニット式の論理データストレージ領域と、
プロセスデータを表示するためのユーザインターフェースを第１のユーザインターフェースデバイスのプロセッサに動的に生成させるように動作可能な命令を格納するメモリデバイスを有する第１のユーザインターフェースデバイスと、
前記第１のユーザインターフェースデバイス及び前記ユニット式の論理データストレージ領域に結合され、前記第１のユーザインターフェースデバイスに前記プロセスデータを提供するように動作可能なサーバと、
第２のユーザインターフェースデバイスのプロセッサに、
前記第１のユーザインターフェースデバイスから前記第１のユーザインターフェースデバイスの状態を示すデータを受信させ、
前記第１のユーザインターフェースデバイスの状態を示す受信したデータに従って前記第２のユーザインターフェースデバイス上にデータを表示するためのユーザインターフェースを動的に生成させる、
ように動作可能な命令を格納するメモリデバイスを有する、第２のユーザインターフェースデバイスと、
を備えるシステム。
【請求項２】
前記第１のユーザインターフェースデバイスが、前記プロセスプラントの動作を変更する第１のコマンドを実行するようにさらに動作可能であり、
前記第２のユーザインターフェースデバイスが、前記プロセスプラントの動作を変更する第２のコマンドを実行するようにさらに動作可能である、
請求項１に記載のシステム。
【請求項３】
前記第１のユーザインターフェースデバイスから前記第１のユーザインターフェースデバイスの状態を示すデータを受信することが、前記第１のユーザインターフェースデバイスと前記第２のユーザインターフェースデバイスとの間の無線通信セッションを確立することを含む、請求項１または２に記載のシステム。
【請求項４】
前記第１のユーザインターフェースデバイスから前記第１のユーザインターフェースデバイスの状態を示すデータを受信することが、前記第１のユーザインターフェースデバイスの状態を示すデータを前記サーバから受信することを含む、請求項１または２に記載のシステム。
【請求項５】
前記第２のユーザインターフェースデバイス上にデータを表示するためのユーザインターフェースが、前記第１のユーザインターフェースデバイス上にデータを表示するためのユーザインターフェースと同一である、請求項１〜４のいずれか一項に記載のシステム。
【請求項６】
前記プロセスデータを表示するためのユーザインターフェースを前記第１のユーザインターフェースデバイスのプロセッサに動的に生成させるように動作可能な命令が、ＨＴＭＬページに関する動的コンテンツを前記第１のユーザインターフェースデバイスのプロセッサに生成させるように動作可能な命令を含み、
前記第２のユーザインターフェースデバイス上にデータを表示するためのユーザインターフェースを前記第２のユーザインターフェースデバイスに動的に生成させるように動作可能な命令が、ＨＴＭＬページに関する動的コンテンツを前記第２のユーザインターフェースデバイスのプロセッサに生成させるように動作可能な命令を含む、
請求項１〜５のいずれか一項に記載のシステム。
【請求項７】
プロセスプラントを動作させる方法であって、
構成データ、計測データ、バッチデータ、連続データ、及びイベントデータから選択される複数のタイプのプロセスデータを含む、前記プロセスプラントに対応するプロセスデータを、ユニット式の論理データストレージ領域に共通の形式で格納することと、
第１のユーザインターフェースデバイス及び前記ユニット式の論理データストレージ領域に結合されるサーバから前記第１のユーザインターフェースデバイスによって検索されるデータを用いて第１のユーザインターフェース表示を動的に生成するように動作可能なルーチンを前記第１のユーザインターフェースデバイス上で実行することと、
前記第１のユーザインターフェースデバイスの状態を示すデータを前記第１のユーザインターフェースデバイスから第２のユーザインターフェースデバイスに伝達することと、
前記第１のユーザインターフェースデバイスの状態を示す受信したデータに従って、前記サーバから前記第２のユーザインターフェースデバイスによって検索されるデータを用いて第２のユーザインターフェース表示を動的に生成するように動作可能なルーチンを前記第２のユーザインターフェースデバイス上で実行することと、
を含む、方法。
【請求項８】
前記第１のユーザインターフェースデバイス又は前記第２のユーザインターフェースデバイスのいずれかにおいて、前記プロセスプラントの動作を変更するコマンドを実行することをさらに含む、請求項７に記載の方法。
【請求項９】
前記第１のユーザインターフェースデバイスの状態を示すデータを前記第１のユーザインターフェースデバイスから前記第２のユーザインターフェースデバイスに伝達することが、前記第１のユーザインターフェースデバイスと前記第２のユーザインターフェースデバイスとの間で近距離無線通信（ＮＦＣ）セッションを確立することを含む、請求項７または８に記載の方法。
【請求項１０】
前記第１のユーザインターフェースデバイスの状態を示すデータを前記第１のユーザインターフェースデバイスから前記第２のユーザインターフェースデバイスに伝達することが、
状態データを前記第１のユーザインターフェースデバイスから前記サーバに送信することと、
状態データを前記サーバから前記第２のユーザインターフェースデバイスで受信することと、
を含む、請求項７または８に記載の方法。
【請求項１１】
前記第１のユーザインターフェース表示および前記第２のユーザインターフェース表示が同一である、請求項７〜１０のいずれか一項に記載の方法。
【請求項１２】
前記ユーザインターフェース表示を動的に生成することが、動的ＨＴＭＬページを生成することを含む、請求項７〜１１のいずれか一項に記載の方法。
【請求項１３】
プロセスプラントで用いられる第１のモバイル制御装置であって、
プロセッサと、
前記プロセッサに結合されるディスプレイと、
プロセス制御データを格納するサーバと通信チャネルを介して通信するように動作可能な第１の通信インターフェースと、
前記プロセッサに結合され、
動的に生成されるユーザインターフェースオブジェクトと、
機械可読命令の組と、
を格納する、メモリデバイスと
を備え、
前記機械可読命令の組は、前記プロセッサによって実行されるときに、前記プロセッサに、
前記通信インターフェースを介して前記サーバからプロセス制御データの特定の組を検索及び表示するために前記ユーザインターフェースオブジェクトを動的に生成又は更新させ、
前記サーバから前記プロセス制御データの特定の組を検索させ、
前記プロセス制御データの特定の組を含む動的に生成されたユーザインターフェースを表示させ、
前記第１のモバイル制御装置の状態情報に関する入ってくる要求を第２のモバイル制御装置から受信させ、
前記第１のモバイル制御装置の状態情報に関する入ってくる要求に応答して、前記第１のモバイル制御装置上に表示される前記ユーザインターフェースの現在の状態についての情報を前記第２のモバイル制御装置に送信させ、
前記第２のモバイル制御装置の状態情報に関する要求を第２のモバイル制御装置に送信させ、
前記第２のモバイル制御装置の状態情報に関する要求に応答して、前記第２のモバイル制御装置上に表示される前記ユーザインターフェースの現在の状態についての情報を前記第２のモバイル制御装置から受信させる、
第１のモバイル制御装置。
【請求項１４】
前記第２のモバイル制御装置上に表示される前記ユーザインターフェースの現在の状態についての受信した情報に従って、前記ユーザインターフェースオブジェクトを動的に生成すること又は更新することをさらに含む、請求項１３に記載の第１のモバイル制御装置。
【請求項１５】
前記ユーザインターフェースの現在の状態についての情報を前記第２のモバイル制御装置に送信することが、前記情報を前記サーバに送信することを含み、
前記第２のモバイル制御装置上に表示されるユーザインターフェースの現在の状態についての情報を前記第２のモバイル制御装置から受信することが、前記サーバから前記情報を受信することを含む、
請求項１３または１４に記載の第１のモバイル制御装置。